【事件の表示】
　特許第４４１７８３２号に関する訂正審判事件について、次のとおり審決する。
【結　論】
　特許第４４１７８３２号に係る明細書（特許請求の範囲及び明細書）を本件審判請求書に添付された訂正明細書（全文訂正特許請求の範囲及び全文訂正明細書）のとおり訂正することを認める。
【理　由】
第１　手続の経緯 
　本件訂正審判の請求に係る特許第４４１７８３２号の請求項１ないし請求項１７に係る発明は、平成２１年１２月４日にその特許権の設定登録がなされたものであって、平成２３年１１月１１日に本件訂正審判の請求がなされた後、平成２３年１２月１３日付けで訂正拒絶理由が通知され、これに対して、平成２４年２月３日付けで、審判請求書に添付された全文訂正特許請求の範囲及び審判請求書の請求の理由を補正する手続補正書とともに、全文訂正特許請求の範囲、審判請求書の請求の理由の全文、全文訂正明細書及び意見書が提出された。
　
第２　平成２４年２月３日付けの手続補正
１．平成２４年２月３日付けの手続補正（以下、「本件補正」という。）の内容
　本件補正は、審判請求書に添付された全文訂正特許請求の範囲及び審判請求書の請求の理由について以下のような補正をするものである。
　なお、平成２４年２月３日付けで提出された全文訂正明細書は、審判請求書に添付された全文訂正明細書と同一であって、その記載に変更はない。
　　
１−１．全文訂正特許請求の範囲についての補正事項
　本件補正による全文訂正特許請求の範囲についての補正事項は、以下のとおりである。
　
補正事項１：全文訂正特許請求の範囲の請求項１における「透析装置（１）であって、タンパク質に結合した除去されるべき物質を少なくとも部分的に可溶化するための１以上の手段（４；６；７；８；９）が供されている透析装置、ここで当該手段は加熱及び冷却装置（６）並びに代替物を加えるための装置（７）から成る群から選択される、及び」との記載を「透析装置（１）であって、タンパク質に結合した除去されるべき物質を少なくとも部分的に可溶化するための１以上の手段（４；６；７；８；９）が供されている透析装
置、及
　
補正事項２：全文訂正特許請求の範囲の請求項１７における「透析装置（１）であって、タンパク質に結合した除去されるべき物質を少なくとも部分的に可溶化するための１以上の手段（４；６；７；８；９）が供されている透析装置、ここで当該手段は加熱及び冷却装置（６）並びに代替物を加えるための装置（７）から成る群から選択される、及び」との記載を「透析装置（１）であって、タンパク質に結合した除去されるべき物質を少なくとも部分的に可溶化するための１以上の手段（４；６；７；８；９）が供されている透析装
置、及
　
補正事項３：全文訂正特許請求の範囲の請求項１７における「ここで、塩基を加えることによってｐＨを調整するための１の装置（４）が、１以上の透析、ろ過又はダイアフィルトレーション装置（５）の上流側又は下流側のいずれかに備えられ、かつ、酸を加えることによってｐＨを調整するための１の装置（４）が、１以上の透析、ろ過又はダイアフィルトレーション装置（５）の下流側又は上流側のいずれかに備えられる、
　ここで前記透析、ろ過又はダイアフィルトレーション装置（５）の下流側に備えられたｐＨを調整するための装置（４）が、当該使用可能流体のｐＨを中性に調整するように適合される、」との記載を、
「ここで、塩基を加えることによってｐＨを調整するための１の装置（４）が、１以上の透析、ろ過又はダイアフィルトレーション装置（５）の上流側又は下流側のいずれかに備えられ、かつ、酸を加えることによってｐＨを調整するための１の装置（４）が、１以上の透析、ろ過又はダイアフィルトレーション装置（５）の下流側又は上流側のいずれかに備えられる、
　ここで前記
１以上の
１の
　
１−２．審判請求書の請求の理由について補正事項
　本件補正は、審判請求書の請求の理由の記載を全文訂正特許請求の範囲についての補正事項１〜３と整合するように変更するとともに、全文訂正特許請求の範囲の訂正事項とその原因を追加、整理するものである。
  　
２．本件補正の適否
２−１．全文訂正特許請求の範囲についての補正事項
　本件補正の全文訂正特許請求の範囲についての補正事項の適否について以下検討する。
（１）補正事項１，２
　補正事項１，２は、「透析装置（１）」に関し、本件訂正審判により付加された「ここで当該手段は加熱及び冷却装置（６）並びに代替物を加えるための装置（７）から成る群から選択される」との訂正事項を削除するものであって、請求の趣旨を減縮的に変更するものであるから、審判請求の要旨を変更するものとはいえない。
　
（２）補正事項３
　本件訂正審判により訂正された請求項１７の「ここで、塩基を加えることによってｐＨを調整するための１の装置（４）が、１以上の透析、ろ過又はダイアフィルトレーション装置（５）の上流側又は下流側のいずれかに備えられ、かつ、酸を加えることによってｐＨを調整するための１の装置（４）が、１以上の透析、ろ過又はダイアフィルトレーション装置（５）の下流側又は上流側のいずれかに備えられる、
　ここで前記透析、ろ過又はダイアフィルトレーション装置（５）の下流側に備えられたｐＨを調整するための装置（４）が、当該使用可能流体のｐＨを中性に調整するように適合される、」との記載における「前記透析、ろ過又はダイアフィルトレーション装置（５）の下流側に備えられたｐＨを調整するための装置（４）」は、訂正された請求項１７の記載からして、「前記
１以上の
１の
　
２−２．審判請求書の請求の理由について補正事項
　審判請求書の請求の理由について補正事項は、審判請求書の請求の理由の記載を全文訂正特許請求の範囲についての補正事項１〜３と整合するように変更し、さらに、全文訂正特許請求の範囲の訂正事項とその原因を追加、整理するものであって、請求の趣旨を変更するものではなく、審判請求の要旨を変更するものとはいえない。　
  　
　なお、平成２４年２月３日付けで提出された全文訂正明細書は、審判請求書に添付された全文訂正明細書と同一であって、その記載に変更はなく、全文訂正明細書についての補正事項は存在しないから、平成２４年２月３日付けで提出された全文訂正明細書は、審判請求の要旨を変更するものとはいえない。　
　
３．以上によれば、本件補正は、審判請求の要旨を変更するものとはいえないから、特許法第１３１条の２第１項の規定に適合するので、当該補正を認める。
  　
第３　請求の趣旨
　上記「第２　平成２４年２月３日付けの手続補正」で述べたとおり、本件補正は、審判請求の要旨を変更するものとはいえず、当該補正は認められるから、本件補正により補正された審判請求書並びにそれに添付された本件補正により補正された全文訂正特許請求の範囲及び全文訂正明細書は認められる。
　したがって、本件訂正審判の請求の趣旨は、特許第４４１７８３２号に係る明細書（特許請求の範囲及び明細書）を審判請求書に添付された訂正明細書（全文訂正特許請求の範囲及び全文訂正明細書）（「審判請求書」、「全文訂正特許請求の範囲」は、それぞれ「本件補正により補正された審判請求書」、「本件補正により補正された全文訂正特許請求の範囲」をいう。）のとおり訂正することを求めるものである。
　
第４　訂正事項
　本件補正により補正された審判請求書並びにそれに添付された本件補正により補正された全文訂正特許請求の範囲及び全文訂正明細書の記載からして、本件訂正審判の訂正事項は以下のとおりのものと認められる。（なお、下線部は訂正個所を示す。） 
　
（１）訂正事項１
　訂正前の請求項１に「生物流体回路（３）であって、タンパク質に結合した除去されるべき物質を少なくとも部分的に可溶化するための１以上の手段（４；６；７；８；９）が供されている生物流体回路、及び」とあるのを、「生物流体回路（３）であって、タンパク質に結合した除去されるべき物質を少なくとも部分的に可溶化するための１以上の手段（４；６；７；８；９）が供されている生物流体回路、
ここで当該手段は加熱及び冷却装置（６）並びに代替物を加えるための装置（７）から成る群から選択される、
　
（２）訂正事項２
　訂正前の請求項１に「透析装置（１）であって、タンパク質に結合した除去されるべき物質を少なくとも部分的に可溶化するための１以上の手段（４：６：７；８；９）が供されている透析装置を伴い、そして」とあるのを、「透析装置（１）であって、タンパク質に結合した除去されるべき物質を少なくとも部分的に可溶化するための１以上の手段（４；６；７；８；９）が供されている透析装
置、及び
　
（３）訂正事項３
　訂正前の請求項１に「１以上の透析、ろ過又はダイアフィルトレーション装置（５）が透析流体回路（２）中に供されており、
　ここで、当該透析の手段中で使用可能な透析流体は、当該生物流体からタンパク質に結合した除去されるべき物質に対する吸着体を含み」とあるのを、
「
透析流体回路（２）であって、タンパク質に結合した除去されるべき物質を少なくとも部分的に可溶化するための１以上の手段（４；６；７；８；９）が供され、かつ
が中に
いる透析流体回路、を伴い、
　ここで、当該透析の手段中で使用可能な透析流体は、当該生物流体からタンパク質に結合した除去されるべき物質に対する吸着体を含み」に訂正する。
　
（４）訂正事項４　
　訂正前の請求項７を削除する。
　
（５）訂正事項５　
　訂正前の請求項８を、訂正後の請求項７に訂正するとともに、訂正前の請求項８において引用されていた「請求項１〜７」を、訂正後の請求項７では「請求項１〜
６
　
（６）訂正事項６　
　訂正前の請求項９を、訂正後の請求項８に訂正するとともに、訂正前の請求項９において引用されていた「請求項１〜８」を、訂正後の請求項９では「請求項１〜
７
　
（７）訂正事項７　
　訂正前の請求項１０を、訂正後の請求項９に訂正するとともに、訂正前の請求項１０において引用されていた「請求項２〜９」を、訂正後の請求項９では「請求項２〜
８
　
（８）訂正事項８　
　訂正前の請求項１１を、訂正後の請求項１０に訂正するとともに、訂正前の請求項１１において引用されていた「請求項１〜１０」を、訂正後の請求項１０では「請求項１〜
９
　
（９）訂正事項９　
　訂正前の請求項１２を、訂正後の請求項１１に訂正するとともに、訂正前の請求項１２において引用されていた「請求項１０」を、訂正後の請求項１１では「請求項
９
　
（１０）訂正事項１０　
　訂正前の請求項１３を、訂正後の請求項１２に訂正するとともに、訂正前の請求項１３において引用されていた「請求項１０」を、訂正後の請求項１２では「請求項
９
　
（１１）訂正事項１１　
　訂正前の請求項１４を、訂正後の請求項１３に訂正するとともに、訂正前の請求項１４において引用されていた「請求項１０」を、訂正後の請求項１３では「請求項
９
　
（１２）訂正事項１２　
　訂正前の請求項１５を、訂正後の請求項１４に訂正するとともに、訂正前の請求項１５において引用されていた「請求項１〜１０」を、訂正後の請求項１４では「請求項１〜
９
　
（１３）訂正事項１３　
　訂正前の請求項１７を、訂正後の請求項１６に訂正するとともに、訂正前の請求項１７において引用されていた「請求項１〜１５」を、訂正後の請求項１６では「請求項１〜
１４
　
（１４）訂正事項１４　
　訂正前の請求項１６を、訂正後の請求項１５に訂正するとともに、訂正前の請求項１６において引用されていた「請求項１〜１５」を、訂正後の請求項１５では「請求項
２
１４
 
（１５）訂正事項１５　
　以下の請求項を訂正後の請求項１７として追加する。　
「　
タンパク質に結合した除去されるべき物質を含有する生物流体を透析するための手段であって：
−生物流体回路（３）であってタンパク質に結合した除去されるべき物質を少なくとも部分的に可溶化するための１以上の手段（４；６；７；８；９）が供されている生物流体回路、ここで当該手段は加熱及び冷却装置（６）並びに代替物を加えるための装置（７）から成る群から選択される、
−透析装置（１）であって、タンパク質に結合した除去されるべき物質を少なくとも部分的に可溶化するための１以上の手段（４；６；７；８；９）が供されている透析装置、及び
−透析流体回路（２）であって、タンパク質に結合した除去されるべき物質を少なくとも部分的に可溶化するための１以上の手段（４；６；７；８；９）が供され、かつ１以上の透析、ろ過又はダイアフィルトレーション装置（５）が中に供されている透析流体回路、を伴い、
　
ここで、当該透析の手段中で使用可能な透析流体は、当該生物流体からタンパク質に結合した除去されるべき物質に対する吸着体を含み、そして
　
当該除去されるべき物質を少なくとも部分的に可溶化するための当該手段（４；６；７；８；９）が、
−塩基を加えることによってｐＨ８〜１３に調整することができる、当該使用可能流体のｐＨを調整するための１の装置（４）、及び−酸を加えることによってｐＨ２．５〜５に調整することができる、当該使用可能流体のｐＨを調整するための１の装置（４）
を含み、
　
ここで、塩基を加えることによってｐＨを調整するための１の装置（４）が、１以上の透析、ろ過又はダイアフィルトレーション装置（５）の上流側又は下流側のいずれかに備えられ、かつ、酸を加えることによってｐＨを調整するための１の装置（４）が、１以上の透析、ろ過又はダイアフィルトレーション装置（５）の下流側又は上流側のいずれかに備えられる、
　
ここで前記１以上の透析、ろ過又はダイアフィルトレーション装置（５）の下流側に備えられたｐＨを調整するための１の装置（４）が、当該使用可能流体のｐＨを中性に調整するように適合される、
　ことを特徴とする、前記手段。
　
第５　訂正拒絶理由の概要
　訂正拒絶理由の概要は、
『・・・訂正事項２は、訂正前の請求項１の「透析装置」に「供されている」「タンパク質に結合した除去されるべき物質を少なくとも部分的に可溶化するための１以上の手段（４；６；７；８；９）」を、「
当該手段は加熱及び冷却装置（６）並びに代替物を加えるための装置（７）から成る群から選択される
　本件訂正後の請求項１の記載には、「透析流体回路」に「タンパク質に結合した除去されるべき物質を少なくとも部分的に可溶化するための１以上の手段（４；６；７；８；９）が供されている」と記載され、該記載に引き続いて、 
　「ここで、・・・そして 
　当該除去されるべき物質を少なくとも部分的に可溶化するための当該手段（４；６；７；８；９）が、 
−塩基を加えることによってｐＨ８〜１３に調整することができる、当該使用可能流体のｐＨを調整するための１以上の装置（４）、及び 
−酸を加えることによってｐＨ２．５〜５に調整することができる、当該使用可能流体のｐＨを調整するための１以上の装置（４） 
を含み」と記載されている。 
　「透析流体回路」に「供されている」「タンパク質に結合した除去されるべき物質を少なくとも部分的に可溶化するための１以上の手段（４；６；７；８；９）」が、「透析流体回路」を介して「透析装置」に「供されている」とともに、上記「当該除去されるべき物質を少なくとも部分的に可溶化するための当該手段（４；６；７；８；９）」は、「透析流体回路」に「供されている」「タンパク質に結合した除去されるべき物質を少なくとも部分的に可溶化するための１以上の手段（４；６；７；８；９）」であることも明らかであるから、上記記載は、「−塩基を加えることによってｐＨ８〜１３に調整することができる、当該使用可能流体のｐＨを調整するための１以上の装置（４）、及び−酸を加えることによってｐＨ２．５〜５に調整することができる、当該使用可能流体のｐＨを調整するための１以上の装置（４）」のような「
加熱及び冷却装置（６）並びに代替物を加えるための装置（７）から成る群から選択される
　してみると、訂正事項２により、本件訂正後の請求項１の記載は、「透析装置」に「供されている」「タンパク質に結合した除去されるべき物質を少なくとも部分的に可溶化するための１以上の手段（４；６；７；８；９）」について、一方で、「
加熱及び冷却装置（６）並びに代替物を加えるための装置（７）から成る群から選択される
加熱及び冷却装置（６）並びに代替物を加えるための装置（７）から成る群から選択される
加熱及び冷却装置（６）並びに代替物を加えるための装置（７）から成る群から選択される
　したがって、訂正事項２を含む本件訂正により訂正された請求項１の記載は、「透析装置」に「供されている」「タンパク質に結合した除去されるべき物質を少なくとも部分的に可溶化するための１以上の手段（４；６；７；８；９）」が不明確であるから、特許法第３６条第６項第２号の規定を満たしておらず、訂正事項２を含む本件訂正により訂正された請求項１に係る発明は、特許出願の際独立して特許を受けることができない。・・・
　訂正事項１５は、訂正後の請求項１に訂正前の請求項１６を挿入するとともに、訂正前の請求項１に記載された「装置（４）」の数を「１以上」から「１」に減縮するものではあるが、訂正前の請求項１６に記載された「装置（４）」の数についての「１以上」との特定を無くした請求項を本件訂正後の請求項１７として追加するものである。  
　してみると、上記のような請求項１７を追加する訂正事項１５は、特許法第１２６条第１項第１号ないし第３号に掲げる特許請求の範囲の減縮、誤記の訂正、明りょうでない記載の釈明のいずれを目的とするものにも該当しない。・・・』というものである。
　
第６　当審の判断
１．本件訂正審判の訂正事項が訂正の要件を満たしているか否かについて、以下検討する。
　
（１）訂正事項１について
　訂正事項１は、訂正前の請求項１の「生物流体回路」に「供されている」「タンパク質に結合した除去されるべき物質を少なくとも部分的に可溶化するための１以上の手段（４；６；７；８；９）」を、「当該手段は加熱及び冷却装置（６）並びに代替物を加えるための装置（７）から成る群から選択される」点で限定するものであるから、特許請求の範囲の減縮を目的とするものに該当する。 
　また、願書に添付された明細書の「この目的は、適切な手段により、透析流体回路中、生物流体回路中又は両方の回路中での遊離毒素及び遊離タンパク質に対する毒素−タンパク質複合体の濃度比を、遊離物質に応じてシフトさせ、そして当該毒素を除去する方法による本発明によって達成されている。同じように、遊離毒素及び吸着体に対する吸着される毒素の濃度比を考えることも可能である。」（【００１６】）との記載、「遊離毒素及び遊離タンパク質に対する毒素−タンパク質複合体の濃度比を変化せしめるための手段は、使用可能な流体のpHを調節するための装置、使用可能な流体の温度を調節するための装置、使用可能な流体の組成（例えば塩濃度）を希釈又は変化せしめるために代替物を加えるための装置、除去されるべき物質に対して結合する透析可能化合物を加えるための装置及び使用可能流体に波動を照射するための装置を含んで成る。本発明の枠組みの中で、様々な装置が任意の所望の態様で他の装置と組み合わされて良い。循環系において、pHを調節するために１以上の装置を、そして温度を調節するために１以上の装置を使用することが好適である。」（【００２１】）との記載及び「遊離毒素及び遊離タンパク質に対する毒素−タンパク質複合体の濃度を変化せしめるための本発明の１以上の方法の提供は、担体タンパク質に対して結合した、除去されるべき物質を含む生物流体の回路においてもなされて良い。従って、例えば、温度を高める効果は、担体タンパク質の結合親和性を低下せしめ、そして物質を可溶化し、溶解させて透析されるべき物質を遊離させることができる。」（【００２７】）との記載からして、訂正事項１は、願書に添付した明細書又は図面に記載した事項の範囲内のものである。 
　そして、訂正事項１は、実質上特許請求の範囲を拡張、又は変更するものでもない。 　　 
　
（２）訂正事項２について
　訂正事項２は、訂正前の請求項１の記載を訂正事項３の「透析流体回路（２）であって、タンパク質に結合した除去されるべき物質を少なくとも部分的に可溶化するための１以上の手段（４；６；７；８；９）が供され、かつ１以上の透析、ろ過又はダイアフィルトレーション装置（５）が中に供されている透析流体回路、を伴い」との記載と整合させるために、訂正前の請求項１の「透析装置（１）であって、タンパク質に結合した除去されるべき物質を少なくとも部分的に可溶化するための１以上の手段（４；６；７；８；９）が供されている透析装置を伴い、そして」における「を伴い、そして」との記載を「、及び」に訂正するものであるから、訂正事項２は、明りょうでない記載の釈明を目的とするものに該当する。
　また、訂正事項２は、実質上特許請求の範囲を拡張、又は変更するものでもない。
　
（３）訂正事項３について
　訂正事項３は、訂正前の請求項１の「１以上の透析、ろ過又はダイアフィルトレーション装置（５）が・・・中に供されて」いる「透析流体回路（２）」を、「タンパク質に結合した除去されるべき物質を少なくとも部分的に可溶化するための１以上の手段（４；６；７；８；９）が供され」る点で限定するとともに、「タンパク質に結合した除去されるべき物質を含有する生物流体を透析するための手段」が、「透析流体回路（２）、を伴」うことを明確にするものであるから、訂正事項３は、上記の点で特許請求の範囲の減縮を目的とするとともに、明りょうでない記載の釈明を目的とするものに該当する。 
　また、願書に添付された明細書の「この目的は、適切な手段により、透析流体回路中、生物流体回路中又は両方の回路中での遊離毒素及び遊離タンパク質に対する毒素−タンパク質複合体の濃度比を、遊離物質に応じてシフトさせ、そして当該毒素を除去する方法による本発明によって達成されている。同じように、遊離毒素及び吸着体に対する吸着される毒素の濃度比を考えることも可能である。」（【００１６】）との記載、「遊離毒素及び遊離タンパク質に対する毒素−タンパク質複合体の濃度比を変化せしめるための手段は、使用可能な流体のpHを調節するための装置、使用可能な流体の温度を調節するための装置、使用可能な流体の組成（例えば塩濃度）を希釈又は変化せしめるために代替物を加えるための装置、除去されるべき物質に対して結合する透析可能化合物を加えるための装置及び使用可能流体に波動を照射するための装置を含んで成る。本発明の枠組みの中で、様々な装置が任意の所望の態様で他の装置と組み合わされて良い。循環系において、pHを調節するために１以上の装置を、そして温度を調節するために１以上の装置を使用することが好適である。」（【００２１】）との記載及び「透析流体回路中、遊離毒素及び遊離タンパク質に対する毒素−タンパク質複合体の濃度比を変化せしめるための本発明の手段が１以上提供されれば、透析の手段において使用されて良い透析流体は、当該生物流体から除去されるべき物質に対する吸着体を含むべきだ。生物流体中少ない割合のタンパク質−結合毒素が当該溶液中で遊離形態に在り、そしてこの割合は、透析装置の半透膜を介して拡散し、そして透析流体中の吸着体の遊離結合部位に対して結合する。次いで、遊離毒素及び遊離タンパク質に対する毒素−タンパク質複合体の比を変化せしめる本発明の手段、例えば、酸を加えるための装置を介して、吸着体と毒素との間の結合親和性が少なくとも一時的に低下させられ、それによって、除去されるべき物質が溶液を通過し、そして本発明中以降でジアフィルタレーションとよばれる、透析（拡散）もしくはろ過（向流）もしくはその両方の組み合わせを介し、透析回路から取り除かれて良い。」（【００２５】）との記載からして、訂正事項３は、願書に添付した明細書又は図面に記載した事項の範囲内のものである。 
　そして、訂正事項３は、実質上特許請求の範囲を拡張、又は変更するものでもない。 
　
（４）訂正事項４について  
　訂正前の請求項１〜６を引用し、「前記生物流体回路（３）中に１以上の透析、ろ過又はダイアフィルトレーション装置（５）が供されていること」を特定する訂正前の請求項７を削除する訂正事項４は、特許請求の範囲の減縮を目的とするものに該当する。  
 　  
（５）訂正事項５〜１３について  
　訂正事項５〜１３は、訂正事項４による請求項７の削除にともなう下位請求項番号の訂正と多数項引用形式請求項における引用請求項の削除であるから、明りょうでない記載の釈明及び特許請求の範囲の減縮を目的とするものに該当する。  
 　  
（６）訂正事項１４について  
　訂正事項１４は、訂正事項４による請求項７の削除にともなう請求項番号の訂正と多数項引用形式請求項における引用請求項の削除であるから、明りょうでない記載の釈明及び特許請求の範囲の減縮を目的とするものに該当する。  
  　  
（７）訂正事項１５について  
　訂正事項１５は、訂正後の請求項１を訂正前の請求項１６で限定するとともに、訂正前の請求項１及び請求項１６に記載された「装置（４）」の数を「１以上」から「１」に減縮し、独立請求項とするものであるから、特許請求の範囲の減縮を目的とするものに該当する。  
　
（８）以上によれば、訂正事項１〜１５は、特許請求の範囲の減縮ないし明りょうでない記載の釈明を目的とするものに該当し、願書に添付した明細書又は図面に記載された事項の範囲内のものであり、かつ、実質上特許請求の範囲を拡張し、又は変更するものでもない。
　また、本件訂正後の請求項１〜１７に係る発明が特許出願の際独立して特許を受けることができないとする理由も見当たらない。
　そして、上記訂正拒絶理由は解消しているといえる。
　
２．まとめ
　したがって、訂正事項１〜１５は、特許法第１２６条第１項第１号ないし第３号に掲げる事項を目的とし、かつ、同条第３項ないし第５項の規定に適合する。
　
第７　むすび
　以上のとおり、本件訂正審判請求による訂正は、特許法第１２６条第１項第１号ないし第３号に掲げる事項を目的とし、かつ、同条第３項ないし第５項の規定に適合する。
　
　よって、結論のとおり審決する。